(57)【要約】【課題】形状及びつかみ形態が異なる草、芝、樹木の枝葉等の刈り取り物が迅速かつ安全につかめる刈り取り物のつかみ装置を得る。【解決手段】細長い一対のアーム（２，３）をＸ形に交差させて互いに回動可能に連結し、各アーム（２，３）の一端部に爪（７，８）を対面方向に突出させて着脱可能に連結するとともに、前記各アーム（２，３）の一端部の少なくとも一方に把手（１１）を設け、前記各アーム（２，３）の他端部にクレーンに係止される係止具（１３）を設ける。また、前記爪（７，８）はアーム（２，３）の一端部に、該アーム（２，３）から出没可能に設ける。また、一方のアーム（２）の一端部と他方のアーム（３）の他端部とに各アーム（２，３）の拡開を保持する拡開保持具（１５）を設ける。【選択図】図１
0003114875.tif 000002
【実用新案登録請求の範囲】
【請求項１】
細長い一対のアーム（２，３）をＸ形に交差させて互いに回動可能に連結し、各アーム（２，３）の一端部に爪（７，８）を対面方向に突出させて着脱可能に連結するとともに、前記各アーム（２，３）の一端部の少なくとも一方に把手（１１）を設け、前記各アーム（２，３）の他端部にクレーンに係止される係止具（１３）を設けたことを特徴とする刈り取り物のつかみ装置。
【請求項２】
爪（７，８）はアーム（２，３）の一端部に、該アーム（２，３）から出没可能に設けたことを特徴とする請求項１記載の刈り取り物のつかみ装置。
【請求項３】
一方のアーム（２）の一端部と他方のアーム（３）の他端部とに各アーム（２，３）の拡開を保持する拡開保持具（１５）を設けたことを特徴とする請求項１又は２記載の刈り取り物のつかみ装置。
【考案の詳細な説明】
【技術分野】
【０００１】
本考案は、クレーンに取り付けて刈り取った草、芝、樹木の枝葉等をつかむ刈り取り物のつかみ装置に関するものである。
【背景技術】
【０００２】
従来の技術として、細長い一対のアームをＸ形に交差させて互いに回動可能に連結してなるつかみやっとこを設け、該つかみやっとこを下方に向けると共に各アームの上端部を、鎖を介してクレーンに連結し、鎖の引張力により各アームの下端部、つまり爪で対象物をつかみ、該対象物を吊り上げるようにしたものがあった。
【０００３】
このものは、対象物をつかむ爪がアームの一部で一体に形成されていたので、爪の形状が画一的となり、吊り上げる対象物が限定されるものであった。また、使用によって爪が磨耗あるいは損傷した際にこれの補修に手数を要するものであった。
【非特許文献１】別役万愛著「メカニズム、第２９６頁、第２９７頁」技報堂出版  昭和４７年３月１日発行
【考案の開示】
【考案が解決しようとする課題】
【０００４】
本考案は、形状及びつかみ形態が異なる草、芝、樹木の枝葉等の刈り取り物が迅速かつ安全につかめる刈り取り物のつかみ装置を得ることを目的とする。
【課題を解決するための手段】
【０００５】
本考案は、前記目的を達成するために以下の如く構成したものである。即ち、細長い一対のアームをＸ形に交差させて互いに回動可能に連結し、各アームの一端部に爪を対面方向に突出させて着脱可能に連結するとともに、前記各アームの一端部の少なくとも一方に把手を設け、前記各アームの他端部にクレーンに係止される係止具を設ける構成にしたものである。また、前記爪はアームの一端部に、該アームから出没可能に設けたものである。また、一方のアームの一端部と他方のアームの他端部とに各アームの拡開を保持する拡開保持具を設けるようにしたものである。
【考案の効果】
【０００６】
爪をアームに対して着脱可能としたので、該爪を選択することにより刈り取り物の種類に容易に対応させることができるとともに、障害物等に接触して損傷した際に、これの補修、取り替えが容易に行えることになる。また、爪は小物であるため、刈り取り物の種類に対応する複数種類の爪を用意しても、これらの保管スペースが少なくて済むことになる。また、アームに設けた把手を操作することによって、該アームの向きの調節及び開閉操作が安全かつ迅速に行えることになる。
また、移動時等の不使用時には、爪をアームに沿って格納することができるので、不使用時における安全性が高くなる。また、つかみ装置をクレーンで刈り取り物まで移動させる際に、拡開保持具で各アームの拡開状態を保持することができるので、刈り取り物位置でのつかみ装置の操作が安全かつ迅速に行えることになる。
【考案を実施するための最良の形態】
【０００７】
以下本考案の実施例を図面に基づいて説明する。図において、図１は本考案によるつかみ装置の開閉状態を示す正面図、図２は刈り取り物のつかみ状態を示す正面図、図３は本考案による爪の格納状態を示す部分断面正面図、図４は図３の左側面図である。
【０００８】
図１において、１は刈り取り物のつかみ装置、２，３は左右一対のアームである。該アーム２，３は、細長い鋼板材を正面視Ｓ字形に湾曲させ、両者を互いに対面させてＸ形に交差させ、この交差部にて両者を支点ピン（ボルト）４により互いに回動可能に連結し、各アーム２，３の下端部（一端部）に取付板５，６を介して左右一対の爪７，８を着脱可能に連結する。
【０００９】
前記左右の取付板５，６および爪７，８は、互いに線対称状となっており、そのうち、左部の取付板５および爪７を代表して図３、図４により説明する。図３、図４において、２はアーム、５は取付板、７は爪である。取付板５はＴ形に接合した板状の脚５ａを介してアーム２に浮かせて溶接固定し、該取付板５の内面に爪７の基部（上端部）をボルト・ナットからなる連結軸９により回動調節可能に連結する。
【００１０】
取付板５の外側下端部に爪７の過回動を阻止するストッパーピン１０を起立固定する。該ストッパーピン１０は、爪７を図３の仮想線で示すように下方に回動させた際に、該爪７の背部に衝突し、それ以上の外方への回動を阻止するようになっている。また、前記爪７は鋼板材を内方に向けて円弧状に湾曲させ、その下端部で図２に示すように刈り取り物２０をつかむようにしている。なお、前記爪７の下端部はフォーク状にしてもよい。
【００１１】
前記左右のアーム２，３のうち、右部のアーム３の下端部に固着した取付板６に把手１１を取り付ける。該把手１１は、図１に示すように、棒材をコ字状に屈曲させ、その開放端を前記取付板６に溶接固定し、握り部（背部）を右方に突出させる。なお、前記把手１１は左部のアーム２に取付けてもよく、また、左右のアーム２，３にそれぞれ取り付けるようにしてもよい。
【００１２】
前記各アーム２，３の上端部にそれぞれリング状の係止具１３を取付け、該係止具１３にそれぞれワイヤ１４の下端部を連結する。このワイヤ１４の上端はクレーン（図示省略）に係止される。
【００１３】
左右のアーム２，３の拡開を保持する拡開保持具１５を設ける。該拡開保持具１５は、図１に示すように、左部のアーム２の上端部と右部のアーム３の下端部とに係止リング（アイボルト）１６，１７を固定し、上部の係止リング１６に緊張体（チェーン）１８を連結し、該緊張体１８の下端に、下部の係止リング１７に掛け外し可能なフック１９を取付け、該フック１９を下部の係止リング１７に掛けることによって、図１の実線で示すように、左右のアーム２，３を開いた状態に保持するようになっている。なお、前記フック１９を下部の係止リング１７から離脱させると、左右のアーム２，３はワイヤ１４の吊り上げ力によって同図の仮想線で示すように閉じることになる。
【００１４】
前記実施例によれば、爪７，８をアーム２，３に着脱可能に取り付けるようにしたので、該爪７，８を取り替えることによって刈り取り物２０の種類に容易に対応させることができる。また、爪７，８が障害物等に接触して損傷した際にはこれの補修、取り替えが容易に行えることになる。また、爪７，８は小物であるため、刈り取り物２０の種類に対応する多種類の爪７，８を用意してもこれらの保管スペースが少なくて済むことになる。
【００１５】
また、アーム２，３に設けた把手１１を操作することによって、刈り取り物２０をつかむ際、あるいはつかんだ刈り取り物２０をトラック等に載置する際に、アーム２，３の向きの調節及び開閉操作が安全かつ迅速に行えることになる。
【００１６】
また、移動時等の不使用時には、図３の実線で示すように、爪７，８をアーム２，３に沿って格納することができるので、不使用時における安全性が高くなる。また、つかみ装置１をクレーンで刈り取り物２０まで移動させる際に、拡開保持具１５で各アーム２，３の拡開を保持することができるので、刈り取り物２０位置でのつかみ装置１の操作が安全かつ迅速に行えることになる。
【図面の簡単な説明】
【００１７】
【図１】本考案によるつかみ装置の開閉状態を示す正面図である。
【図２】刈り取り物のつかみ状態を示す正面図である。
【図３】本考案による爪の格納状態を示す部分断面正面図である。
【図４】図３の左側面図である。
【符号の説明】
【００１８】
１    つかみ装置
２，３    アーム
４    支点ピン
５，６    取付け板
７，８    爪
９    連結軸
１０    ストッパーピン
１１    把手
１３    係止具
１４    ワイヤ
１５    拡開保持具
１６，１７    係止リング
１８    緊張体
１９    フック
２０    刈り取り物
【図１】
0003114875.tif 000003
【図２】
0003114875.tif 000004
【図３】
0003114875.tif 000005
【図４】
0003114875.tif 000006